(57)【要約】【課題】多彩なカラー表示や高解像度を有する表示機能を有効に活用する。【解決手段】音響処理の制御指令に応じて音響情報を処理してスピーカ２６に出力するサブマイコン１８を有する本体部１０３と、音響処理の制御指令をサブマイコンに入力する操作キー１０及び画像情報を表示する表示部９を有する操作表示制御部１０２と、操作表示制御部から離脱して車両の任意の位置に設置された状態において、画像処理の制御指令に応じて撮像した画像情報を表示部に表示させるカメラユニット部１０１とを備える。【選択図】　　　　図１
2004067026.tif 000002
【特許請求の範囲】
【請求項１】
入力される音響処理の制御指令に応じて所定の音源からの音響情報を処理して出力する音響処理手段を有し車両内に装着された本体機器と、前記本体機器に収容され操作に応じて音響処理の制御指令を前記音響処理手段に入力する操作手段及び画像情報を表示する表示手段を有する制御手段と、
前記本体機器に着脱自在に収納され前記本体機器から離脱して車両の任意の位置に設置された状態において前記操作手段から入力される画像処理の制御指令に応じて撮像した画像情報を前記制御手段に転送して前記表示手段に表示させる撮像手段とを備えた車載用情報処理装置。
【請求項２】
撮像手段は、画像処理の制御指令を制御手段から受信しその制御指令に応じて撮像した画像情報を前記制御手段に送信する無線通信手段を有することを特徴とする請求項１記載の車載用情報処理装置。
【請求項３】
撮像手段は、車両の後方の画像を撮像する位置に設置されることを特徴とする請求項１又は請求項２記載の車載用情報処理装置。
【請求項４】
撮像手段は、車両の運転席以外の座席における同乗者の画像を撮像する位置に設置されることを特徴とする請求項１又は請求項２記載の車載用情報処理装置。
【請求項５】
撮像手段は、車両の運転者の画像を撮像する位置に設置され、制御手段は、前記撮像手段で撮像された運転者の画像によって運転者の異常を検出することを特徴とする請求項１又は請求項２記載の車載用情報処理装置。
【請求項６】
制御手段は、撮像手段によって撮像された運転者の画像情報を受信して運転者の異常を検出したときは異常検出信号を出力し、音響処理手段は、前記制御手段から出力された異常検出信号に応じて警報音響信号を発生することを特徴とする請求項５記載の車載用情報処理装置。
【請求項７】
制御手段は、操作手段から入力される画像記憶の制御指令に応じて撮像手段から得られる画像情報を記憶する画像記憶手段を有し、撮像手段によって撮像された運転者の画像情報と前記画像記憶手段に記憶されている正常運転時の運転者の画像情報とを比較して運転者の異常を検出することを特徴とする請求項６記載の車載用情報処理装置。
【請求項８】
制御手段は、撮像手段によって撮像された運転者の顔の位置の画像情報を受信して運転者の異常を検出することを特徴とする請求項６又は請求項７記載の車載用情報処理装置。
【請求項９】
制御手段は、運転者の視線の画像情報が連続して所定時間以上得られない場合に異常検出信号を出力することを特徴とする請求項６又は請求項７記載の車載用情報処理装置。
【請求項１０】
制御手段は、撮像手段を着脱自在に収納するとともに、前記撮像手段を収納した状態で前記本体機器から離脱した場合には携帯可能な電子カメラ装置を構成することを特徴とする請求項１記載の車載用情報処理装置。
【発明の詳細な説明】
【０００１】
【発明の属する技術分野】
この発明は、車載用情報処理装置に関するものである。
【０００２】
【従来の技術】
図６は、従来の車載用情報処理装置を示すブロック図であり、図において、２０１は本体部、５１はマイコン、５２はサウンドコントローラ、５３はチューナ、５４はディスクメディア再生装置、５５はアンプ、５６は操作キー、５７は表示コントローラ、５８は表示部、５９は電源回路、６０はバッテリ、６１はアンテナ、６２はスピーカである。
【０００３】
次に動作について説明する。
マイコン５１は、操作キー５６から入力される音源選択の操作指令に応じて、チューナ５３又はディスクメディア再生装置５４のいずれか一方を音源として選択する。操作指令が入力されない場合には、表示コントローラ５７を介して、マイコン５１内の時計から得られる時刻を表示部５８に表示する。
【０００４】
操作指令に応じてチューナ５３を選択した場合には、操作キー５６から入力される局選択の操作指令に応じて、アンテナ６１から受信される放送局の受信信号をサウンドコントローラ５２に入力して復調処理等をさせる。そして、サウンドコントローラ５２から出力された音響信号をアンプ５５で増幅してスピーカ６２から発音させる。また、表示コントローラ５７を介して、表示部５８に受信局の周波数を表示する。
【０００５】
これに対して、操作指令に応じてディスクメディア再生装置５４を選択した場合には、表示コントローラ５７を介して、ディスクメディア再生装置５４内のＣＤやＭＤ等の音楽ディスクのディスク選択項目や曲番号項目を表示部５８に表示する。そして、操作キー５６から入力される再生選択の操作指令に応じて、選択された曲のデータをサウンドコントローラ５２に入力して再生処理等をさせる。そして、サウンドコントローラ５２から出力された音響信号をアンプ５５で増幅してスピーカ６２から発音させる。また、表示コントローラ５７を介して、表示部５８にその再生曲のトラック番号や再生時間を表示する。
【０００６】
【発明が解決しようとする課題】
従来の車載用情報処理装置は以上のように構成されているので、近年のめざましい技術開発によって、多彩なカラー表示や高解像度を有する表示部が普及してきているにもかかわらず、表示部５８に表示する画像情報は、時刻、受信局の周波数、再生中のトラック番号等のように、極めて単純な画像情報でしかなく、表示部の優れた表示機能を車載用として有効に活用できないという課題があった。
【０００７】
この発明は上記のような課題を解決するためになされたもので、多彩なカラー表示や高解像度を有する表示機能を有効に活用できる車載用情報処理装置を得ることを目的とする。
また、この発明は、表示機能を有効に活用して車両の安全運転に寄与する車載用情報処理装置を得ることを目的とする。
また、この発明は、表示機能を有効に活用して運転中に同乗者の状態を確認できる車載用情報処理装置を得ることを目的とする。
【０００８】
【課題を解決するための手段】
この発明に係る車載用情報処理装置は、入力される音響処理の制御指令に応じて所定の音源からの音響情報を処理して出力する音響処理手段を有し車両内に装着された本体機器と、本体機器に収容され操作に応じて音響処理の制御指令を音響処理手段に入力する操作手段及び画像情報を表示する表示手段を有する制御手段と、本体機器に着脱自在に収納され本体機器から離脱して車両の任意の位置に設置された状態において操作手段から入力される画像処理の制御指令に応じて撮像した画像情報を制御手段に転送して表示手段に表示させる撮像手段とを備えたものである。
【０００９】
この発明に係る車載用情報処理装置の撮像手段は、画像処理の制御指令を制御手段から受信しその制御指令に応じて撮像した画像情報を制御手段に送信する無線通信手段を有するように構成したものである。
【００１０】
この発明に係る車載用情報処理装置の撮像手段は、車両の後方の画像を撮像する位置に設置されるように構成したものである。
【００１１】
この発明に係る車載用情報処理装置の撮像手段は、車両の運転席以外の座席における同乗者の画像を撮像する位置に設置されるように構成したものである。
【００１２】
この発明に係る車載用情報処理装置の撮像手段は、車両の運転者の画像を撮像する位置に設置され、制御手段は、撮像手段で撮像された運転者の画像によって運転者の異常を検出するように構成したものである。
【００１３】
この発明に係る車載用情報処理装置の制御手段は、撮像手段によって撮像された運転者の画像情報を受信して運転者の異常を検出したときは異常検出信号を出力し、音響処理手段は、制御手段から出力された異常検出信号に応じて警報音響信号を発生するように構成したものである。
【００１４】
この発明に係る車載用情報処理装置の制御手段は、操作手段から入力される画像記憶の制御指令に応じて撮像手段から得られる画像情報を記憶する画像記憶手段を有し、撮像手段によって撮像された運転者の画像情報と画像記憶手段に記憶されている正常運転時の運転者の画像情報とを比較して運転者の異常を検出するように構成したものである。
【００１５】
この発明に係る車載用情報処理装置の制御手段は、撮像手段によって撮像された運転者の顔の位置の画像情報を受信して運転者の異常を検出するように構成したものである。
【００１６】
この発明に係る車載用情報処理装置の制御手段は、運転者の視線の画像情報が連続して所定時間以上得られない場合に異常検出信号を出力するように構成したものである。
【００１７】
この発明に係る車載用情報処理装置の制御手段は、撮像手段を着脱自在に収納するとともに、撮像手段を収納した状態で本体機器から離脱した場合には携帯可能な電子カメラ装置を構成するものである。
【００１８】
【発明の実施の形態】
以下、この発明の実施の一形態の構成について、図を参照しながら説明する。実施の形態１．
図１は、実施の形態１における車載用情報処理装置の構成を示すブロック図であり、図において、１０１はカメラユニット部（撮像手段）、１０２は操作表示制御部（制御手段）、１０３は本体部（本体機器）である。カメラユニット部１０１において、１はレンズ、２はＣＣＤ等からなる光／電気変換素子、３はデータ処理部、４は無線通信装置（通信制御手段）、５は充電可能な２次電池である。操作表示制御部１０２において、６は無線通信装置（通信制御手段）、７はメインマイコン、８は表示コントローラ、９はＬＣＤ等からなる表示部（表示手段）、１０は操作キー（操作手段）、１１はデータ圧縮／伸長回路、１２はメモリＩ／Ｆ、１３は半導体メモリカード（画像記憶手段）、１４はアナログ信号をディジタル信号に変換するＡＤＣ、１５は充電可能な２次電池、ＣＮ１，ＣＮ２はカメラユニット部１０１と操作表示制御部１０２とを接続するコネクタである。本体部１０３において、１６はサウンドコントローラ、１７はディジタル信号をアナログ信号に変換するＤＡＣ、１８はサブマイコン（音響処理手段）、１９はチューナ（音源）、２０はディスクメディア再生装置（音源）、２１は音響信号を増幅するアンプ、２２は電源回路、ＣＮ３，ＣＮ４，ＣＮ５，ＣＮ６は操作表示制御部１０２と本体部１０３とを接続するコネクタである。２３はバッテリ、ＣＮ７はバッテリ２３と本体部１０３とを接続するコネクタ、２４はテレビ受信装置（又はナビゲーションシステム）からなる画像表示機器、ＣＮ８は画像表示機器２４と本体部１０３とを接続するコネクタ、２５はアンテナ、ＣＮ９はアンテナ２５と本体部１０３とを接続するコネクタ、２６はスピーカ、ＣＮ１０はスピーカ２６と本体部１０３とを接続するコネクタである。また、図２に示すように、カメラユニット部１０１及び操作表示制御部１０２は、本体部１０３に着脱自在に収納され、さらにカメラユニット部１０１は、操作表示制御部１０２に着脱自在に収納される構造になっている。
【００１９】
次に動作について説明する。
まず、本体部１０３に操作表示制御部１０２及びカメラユニット部１０１が収納されている状態における動作を説明する。この場合には、カメラユニット部１０１のレンズ１が本体部１０３に収納されるので、撮像機能は停止した状態になっている。操作表示制御部１０２のメインマイコン７は、操作キー１０が操作されたか否かを監視しており、操作がされた場合にはその操作指令を取り込んで制御コマンドを生成する。ラジオ受信又はディスク再生の操作がなされた場合、すなわち音源選択の操作指令が入力された場合には、本体部１０３のサブマイコン１８にその操作指令を転送する。
【００２０】
サブマイコン１８は、その音源選択の操作指令に応じて、チューナ１９又はディスクメディア再生装置２０のいずれか一方を音源として選択する。操作指令に応じてチューナ１９を選択した場合には、さらに操作キー１０から入力される局選択の操作指令に応じて、アンテナ２５で受信されてチューナ１９から出力される放送局の受信信号をサウンドコントローラ１６に入力して復調処理等をさせる。そして、サウンドコントローラ１６から出力された音響信号をアンプ２１で増幅してスピーカ２６から発音させる。また、表示コントローラ８を介して、表示部９に受信局の周波数を表示する。
【００２１】
これに対して、操作指令に応じてディスクメディア再生装置２０を選択した場合には、表示コントローラ８を介して、ディスクメディア再生装置２０内のＣＤやＭＤ等の音楽記録ディスクのディスク選択項目や曲番号項目を表示部９に表示する。そして、操作キー１０から入力される再生選択の操作指令に応じて、選択された曲のデータをサウンドコントローラ１６に入力して再生処理等をさせる。また、サウンドコントローラ１６から出力された音響信号をアンプ２１で増幅してスピーカ２６から発音させる。さらに、表示コントローラ８を介して、表示部９にその再生曲のトラック番号や再生時間を表示する。
【００２２】
メインマイコン７は、操作キー１０からの操作指令が画像記録である場合には、画像表示機器２４（この場合はテレビ受信機）に表示されているフレーム画像を、ＡＤＣ１４でディジタルデータに変換された後、静止画データとしてデータ圧縮／伸長回路１１に取り込む。データ圧縮／伸長回路１１は、メインマイコン７のデータ圧縮指令に応じてこの静止画データを圧縮処理して、メモリＩ／Ｆ１２を介して半導体メモリカード１３に記憶する。メインマイコン７は、操作キー１０の操作指令が画像再生である場合には、データ圧縮／伸長回路１１にデータ伸長指令を与えて、半導体メモリカード１３に記憶されている静止画データを読み出して伸長処理をさせ、表示コントローラ８を介して表示部９にその静止画を表示する。
【００２３】
なお、本体部１０３に操作表示制御部１０２及びカメラユニット部１０１が収納されている状態においては、操作表示制御部１０２の２次電池１５及びカメラユニット部１０１の２次電池５は、本体部１０３の電源回路２２を介して、バッテリ２３によって充電されている。したがって、本体部１０３から操作表示制御部１０２を離脱した場合、さらにカメラユニット部１０１を操作表示制御部１０２から離脱した場合でも、操作表示制御部１０２及びカメラユニット部１０１の各電源スイッチ（図示せず）をオンにすることにより、それぞれの内部回路は動作状態になる。
【００２４】
次に、カメラユニット部１０１が操作表示制御部１０２から離脱された状態における動作を説明する。この場合には、カメラユニット部１０１のデータ処理部３と操作表示制御部１０２のメインマイコン７とを接続しているコネクタＣＮ２が切り離されるので、カメラユニット部１０１の無線通信装置４と操作表示制御部１０２の無線通信装置６との間の通信によって、メインマイコン７からの操作指令が電波を介してデータ処理部３に送信され、データ処理部３からの撮像画像データが電波を介してメインマイコン７に送信される。その他の動作については、カメラユニット部１０１及び操作表示制御部１０２によって構成されるカメラ装置の上記した動作と同じである。
【００２５】
カメラユニット部１０１は、アダプタ器具が取り付け可能な構造になっている。このアダプタ器具によって、車両の任意の位置にカメラユニット部１０１を固定することができる。図３〜図５は、操作表示制御部１０２から離脱したカメラユニット部１０１を車両の所定位置に設置した場合を示す図である。
【００２６】
図３において、３０は車両であり、カメラユニット部１０１は、車両３０の後部に、マグネットゴムなどを有するアダプタ器具によって設置されている。この場合には、カメラユニット部１０１は、操作キー１０からの制御指令に応じて車両３０の後方を監視して、データ処理部３からその監視画像データを電波によって操作表示制御部１０２のメインマイコン７に送信する。操作表示制御部１０２において、メインマイコン７は、表示コントローラ８を介して、受信した監視画像データを表示部９に表示する。したがって、運転者は表示された監視画像によって、車両３０の後方を確認しながら運転を行う。
【００２７】
図４において、３１は車両３０の運転席及び助手席からなる前部座席、３２は後部座席である。カメラユニット部１０１は、前部座席３１の背面に、クリップなどのアダプタ器具によって設置されている。この場合には、カメラユニット部１０１は操作キー１０からの制御指令に応じて、後部座席３２の同乗者（例えば、子供、老人、病人）を監視して、データ処理部３からその監視画像データを電波によって操作表示制御部１０２のメインマイコン７に送信する。操作表示制御部１０２において、メインマイコン７は、表示コントローラ８を介して、受信した監視画像データを表示部９に表示する。したがって、運転者は表示された監視画像によって、後部座席３２の同乗者の様子を確認しながら運転を行う。
【００２８】
図５において、カメラユニット部１０１は、運転席に対面する位置、例えばルームミラーにクリップなどのアダプタ器具によって設置されている。この場合には、カメラユニット部１０１は、運転者の様子を監視して、データ処理部３からその監視画像データを電波によって操作表示制御部１０２のメインマイコン７に送信する。操作表示制御部１０２において、メインマイコン７は、監視画像データによって運転者の異常を検出する。例えば、運転者の居眠りで頭が揺れている状態を検出する。あるいは、運転者の視線を監視して、運転者の居眠りで目が閉じて、一定時間以上の間視線の画像が得られない状態を検出する。
【００２９】
さらに、運転者の様子を監視する場合には、あらかじめ半導体メモリカード１３に正常運転時の運転者の画像データを記憶させておいて、カメラユニット部１０１で撮像された画像データと記憶した画像データとを比較して、運転者の居眠りを検出する構成にしてもよい。
【００３０】
メインマイコン７が運転者の異常を検出した場合には、異常検出信号を本体部１０３のサブマイコン１８に出力する。サブマイコン１８は、異常検出信号を受けた場合には、サウンドコントローラ１６に対して警報音の出力指令を与える。サウンドコントローラ１６は、アンプ２１を介して、スピーカ２６からその警報音を発生させる。
【００３１】
以上のように、この実施の形態１によれば、入力される音響処理の制御指令に応じてチューナ１９やディスクメディア再生装置２０からの音響情報を処理して出力する本体部１０３と、本体部１０３に収容され操作に応じて音響処理の制御指令を入力する操作キー１０及び画像情報を表示する表示部９を有する操作表示制御部１０２と、本体部１０３に着脱自在に収納され本体部１０３から離脱して車両の任意の位置に設置された状態において、操作キー１０から入力される画像処理の制御指令に応じて、撮像した画像情報を操作表示制御部１０２に転送して表示部９に表示させるカメラユニット部１０１とを備えたので、極めて単純な画像情報を表示するだけでなく、多彩なカラー表示や高解像度を有する表示部９の表示機能を有効に活用できるという効果が得られる。
【００３２】
また、この実施の形態１によれば、カメラユニット部１０１は、画像処理の制御指令を操作表示制御部１０２から受信し、その制御指令に応じて撮像した画像情報を操作表示制御部１０２に送信する無線通信装置４を有するように構成したので、本体部１０３から離脱したカメラユニット部１０１を車両３０の任意の位置に設置して、撮像した画像情報を表示部９に表示することにより、表示機能を有効に活用して車両の安全運転に寄与できるという効果が得られる。
【００３３】
また、この実施の形態１によれば、図３に示すように、カメラユニット部１０１を車両３０の後方の画像を撮像する位置に設置されるように構成したので、後方の画像を本体部１０３の表示部９に表示させることにより、表示機能を有効に活用して車両の安全運転に寄与できるという効果が得られる。
【００３４】
また、この実施の形態１によれば、図４に示すように、カメラユニット部１０１を車両の運転席以外の座席における同乗者の画像を撮像する位置に設置されるように構成したので、表示機能を有効に活用して運転中に同乗者の状態を確認できるという効果が得られる。
【００３５】
また、この実施の形態１によれば、図５に示すように、カメラユニット部１０１を車両３０の運転者の画像を撮像する位置に設置して、操作表示制御部１０２は、カメラユニット部１０１で撮像された運転者の画像によって運転者の異常を検出するように構成したので、表示機能を有効に活用して車両の安全運転に寄与できるという効果が得られる。
【００３６】
例えば、カメラユニット部１０１によって撮像された運転者の顔の位置の画像情報を受信して、運転者の異常を検出するように構成することにより、居眠り運転を迅速に検出できるという効果が得られる。あるいは、運転者の視線の画像情報が連続して所定時間以上得られない場合に異常検出信号を出力するように構成することにより、居眠り運転を迅速に検出できるという効果が得られる。
【００３７】
この場合において、操作表示制御部１０２は、操作キー１０から入力される画像記憶の制御指令に応じて、カメラユニット部１０１から得られる画像情報を記憶する半導体メモリカード１３を有し、カメラユニット部１０１によって撮像された運転者の画像情報と、半導体メモリカード１３に記憶されている正常運転時の運転者の画像情報とを比較して運転者の異常を検出するように構成することにより、居眠り運転のような異常を確実に検出できるという効果が得られる。
【００３８】
実施の形態２．
実施の形態２においては、カメラユニット部１０１を収納した状態で操作表示制御部１０２を本体部１０３から離脱することによって、車両外において使用できる携帯可能な電子カメラ装置を構成する。
次に動作について説明する。
メインマイコン７は、コネクタＣＮ２を介して、操作キー１０からの撮像指令をデータ処理部３に転送する。カメラユニット部１０１は、この撮像指令に応じて撮像動作を制御する。すなわち、光／電気変換素子２は、レンズ１を通して入力された光信号の撮像画像を電気信号の撮像画像データに変換してデータ処理部３に出力し、データ処理部３は、コネクタＣＮ２を介して、その撮像画像データをメインマイコン７に転送する。
【００３９】
メインマイコン７は、操作キー１０から画像記憶指令が入力されると、データ処理部３からの撮像画像データをデータ圧縮／伸長回路１１に転送する。データ圧縮／伸長回路１１は、メインマイコン７のデータ圧縮指令に応じてこの撮像画像データを圧縮処理して、メモリＩ／Ｆ１２を介して半導体メモリカード１３に記憶する。メインマイコン７は、操作キー１０の操作指令が画像再生である場合には、データ圧縮／伸長回路１１にデータ伸長指令を与えて、半導体メモリカード１３に記憶されている撮像画像データを読み出して伸長処理をさせ、表示コントローラ８を介して表示部９にその撮像画像を表示する。
【００４０】
以上のように、この実施の形態２によれば、カメラユニット部１０１を操作表示制御部１０２に着脱自在に収納することにより、カメラユニット部１０１を収納した状態で操作表示制御部１０２を本体機器から離脱した場合には、携帯可能な電子カメラ装置を構成するので、車内での使用だけでなく車外での撮影にも兼用できるという効果が得られる。
【００４１】
【発明の効果】
以上のように、この発明によれば、車載用情報処理装置を、入力される音響処理の制御指令に応じて所定の音源からの音響情報を処理して出力する音響処理手段を有し車両内に装着された本体機器と、本体機器に収容され操作に応じて音響処理の制御指令を音響処理手段に入力する操作手段及び画像情報を表示する表示手段を有する制御手段と、本体機器に着脱自在に収納され本体機器から離脱して車両の任意の位置に設置された状態において操作手段から入力される画像処理の制御指令に応じて撮像した画像情報を制御手段に転送して表示手段に表示させる撮像手段とを備えた構成にしたので、極めて単純な画像情報を表示するだけでなく、多彩なカラー表示や高解像度を有する表示機能を有効に活用できるという効果がある。
【００４２】
この発明によれば、車載用情報処理装置の撮像手段を、画像処理の制御指令を制御手段から受信しその制御指令に応じて撮像した画像情報を制御手段に送信する無線通信手段を有するように構成したので、本体機器から離脱した撮像手段を車両の任意の位置に設置して、撮像した画像情報を表示手段に表示できるという効果がある。
【００４３】
この発明によれば、車載用情報処理装置の撮像手段を、車両の後方の画像を撮像する位置に設置されるように構成したので、後方の画像を本体機器の表示手段に表示させることにより、表示機能を有効に活用して車両の安全運転に寄与できるという効果がある。
【００４４】
この発明によれば、車載用情報処理装置の撮像手段を、車両の運転席以外の座席における同乗者の画像を撮像する位置に設置されるように構成したので、同乗者の画像を本体機器の表示手段に表示させることにより、表示機能を有効に活用して運転中に同乗者の状態を確認できるという効果がある。
【００４５】
この発明によれば、車載用情報処理装置の撮像手段を、車両の運転者の画像を撮像する位置に設置され、制御手段は、撮像手段で撮像された運転者の画像によって運転者の異常を検出するように構成したので、表示機能を有効に活用して車両の安全運転に寄与できるという効果がある。
【００４６】
この発明によれば、車載用情報処理装置の制御手段を、撮像手段によって撮像された運転者の画像情報を受信して運転者の異常を検出したときは異常検出信号を出力し、車載用情報処理装置の音響処理手段を、制御手段から出力された異常検出信号に応じて警報音響信号を発生するように構成したので、居眠り運転のような異常を検出したときは警報を発生することにより、表示機能を有効に活用して車両の安全運転に寄与できるという効果がある。
【００４７】
この発明によれば、車載用情報処理装置の制御手段を、操作手段から入力される画像記憶の制御指令に応じて撮像手段から得られる画像情報を記憶する画像記憶手段を有し、撮像手段によって撮像された運転者の画像情報と画像記憶手段に記憶されている正常運転時の運転者の画像情報とを比較して運転者の異常を検出するように構成したので、居眠り運転のような異常を確実に検出できるという効果がある。
【００４８】
この発明によれば、車載用情報処理装置の制御手段を、撮像手段によって撮像された運転者の顔の位置の画像情報を受信して運転者の異常を検出するように構成したので、居眠り運転を迅速に検出できるという効果がある。
【００４９】
この発明によれば、車載用情報処理装置の制御手段を、運転者の視線の画像情報が連続して所定時間以上得られない場合に異常検出信号を出力するように構成したので、居眠り運転を迅速に検出できるという効果がある。
【００５０】
この発明によれば、車載用情報処理装置の制御手段を、撮像手段を着脱自在に収納するとともに、撮像手段を収納した状態で本体機器から離脱した場合には携帯可能な電子カメラ装置を構成するので、車内での使用だけでなく車外での撮影にも兼用できるという効果がある。
【図面の簡単な説明】
【図１】本発明の実施の形態１における車載用情報処理装置の構成を示すブロック図である。
【図２】本発明の実施の形態１における車載用情報処理装置の着脱自在な構造を示す図である。
【図３】本発明の実施の形態１におけるカメラユニットの第１の設置例を示す図である。
【図４】本発明の実施の形態１におけるカメラユニットの第２の設置例を示す図である。
【図５】本発明の実施の形態１におけるカメラユニットの第３の設置例を示す図である。
【図６】従来の車載用情報処理装置の構成を示すブロック図である。
【符号の説明】
１　レンズ、２　光／電気変換素子、３　データ処理部、４，６　無線通信装置（通信制御手段）、５，１５　２次電池、７　メインマイコン、８　表示コントローラ、９　表示部（表示手段）、１０　操作キー（操作手段）、１１　データ圧縮／伸長回路、１２　メモリＩ／Ｆ、１３　半導体メモリカード（画像記憶手段）、１４　ＡＤＣ、１６　サウンドコントローラ、１７　ＤＡＣ、１８　サブマイコン（音響処理手段）、１９　チューナ（音源）、２０　ディスクメディア再生装置（音源）、２１　アンプ、２２　電源回路、２３　バッテリ、２４　画像表示機器、２５　アンテナ、２６　スピーカ、３０　車両、３１　運転席、３２　後部座席、１０１　カメラユニット部（撮像手段）、１０２　操作表示制御部（制御手段）、１０３　本体部（本体機器）、ＣＮ１〜ＣＮ１０　コネクタ。
【図１】
2004067026.tif 000003
【図２】
2004067026.tif 000004
【図３】
2004067026.tif 000005
【図４】
2004067026.tif 000006
【図５】
2004067026.tif 000007
【図６】
2004067026.tif 000008